(57)【要約】【課題】手間をかけることなく、着付け後の見栄えを良好にすることができるへこ帯を提供すること。【解決手段】へこ帯１は、本体部８と芯材１１とを備える。本体部８は、可撓性を有した布材３により、縁のほつれを防止されて帯状に形成されている。芯材１１は、可撓性を有し、かつ、本体部８の布材３より形状保持性を有した素材から形成されて、本体部８の長手方向の略中央部位８ａに、本体部８の短手方向の略全域にわたるように、布材３に包まれて、取り付けられている。【選択図】図１
0003132436.tif 000002
【実用新案登録請求の範囲】
【請求項１】
可撓性を有した布材により、縁のほつれを防止されて帯状に形成される本体部と、
可撓性を有し、かつ、前記本体部の布材より形状保持性を有した素材から形成されて、前記本体部の長手方向の略中央部位に、前記本体部の短手方向の略全域にわたるように、前記布材に包まれて、取り付けられている芯材、
を備えて構成されている請求項１に記載のへこ帯。
【請求項２】
前記本体部の長手方向の略中央部位に、前記布材を縫合し、縫合部位を背面側における前記本体部の短手方向の略中央に配置させて、前記本体部の長手方向に筒状となる筒状部が形成され、
前記芯材が前記筒状部内に取り付けられていることを特徴とする請求項１に記載のへこ帯。
【請求項３】
前記本体部の布材が、光沢を有した半透明の素材から形成されていることを特徴とする請求項１若しくは請求項２に記載のへこ帯。
【考案の詳細な説明】
【技術分野】
【０００１】
本考案は、女性用の浴衣等を含めた着物に好適なへこ帯に関する。
【背景技術】
【０００２】
従来、へこ帯は、男性用の着物の帯として使用されていたが、女性や子供でも、浴衣等を着る際に使用するようになってきている（例えば、特許文献１参照）。
【特許文献１】実用新案登録第３０５２９７２号公報
【考案の開示】
【考案が解決しようとする課題】
【０００３】
しかし、従来の女性用のへこ帯では、柔らかいちりめん系のものが使用されており、丸帯等と相違して、芯材も配設されていないことから、しめる際に、体型を補正した後、帯板を利用しつつ、しめることとなって、手間がかかることとなっていた。勿論、帯板を使用しなければ、多数の横皺を生じさせて、へこ帯の短手方向（幅方向）に折れ曲がり、着付け後の見栄えを悪くさせていた。
【０００４】
本考案は、上述の課題を解決するものであり、手間をかけることなく、着付け後の見栄えを良好にすることができるへこ帯を提供することを目的とする。
【課題を解決するための手段】
【０００５】
本考案に係るへこ帯は、可撓性を有した布材により、縁のほつれを防止されて帯状に形成される本体部と、
可撓性を有し、かつ、本体部の布材より形状保持性を有した素材から形成されて、本体部の長手方向の略中央部位に、本体部の短手方向の略全域にわたるように、布材に包まれて、取り付けられている芯材と、
を備えて構成されていることを特徴とする。
【０００６】
本考案に係るへこ帯では、可撓性を有し、かつ、本体部の布材より形状保持性を有した芯材が、本体部の長手方向における略中間部位に、本体部の短手方向の略全域にわたるように、取り付けられている。そのため、着付け時、芯材の配設された本体部の略中央部位を、短手方向に広げた状態として、へこ帯をしめれば、帯板を使用しなくとも、幅広の状態で、型崩れすることなく、へこ帯をしめることができて、手間をかけることなく、着付け後の見栄えを良好にすることができる。
【０００７】
勿論、芯材は、本体部の長手方向における略中央部位に配設されているため、へこ帯を身体に巻き付けたり、へこ帯の両端を結ぶ際には、芯材が邪魔とならず、従来のちりめん系等のへこ帯と同様に使用することができる。
【０００８】
また、芯材は、本体部の布材に包まれて、本体部に取り付けられているため、表面側に露出したり、位置ずれすることがない。
【０００９】
そして、本体部の長手方向の略中央部位には、布材を縫合し、縫合部位を背面側における本体部の短手方向の略中央に配置させて、本体部の長手方向に筒状となる筒状部を設け、芯材を筒状部内に取り付けることが望ましい。
【００１０】
このように構成する場合には、本体部の長手方向の略中央部位に設けた筒状部内に芯材を取り付けて、芯材が筒状部内に包まれることから、表面側に芯材を露出させることを完全に防ぐことができる。さらに、筒状部を形成した縫合部位が、へこ帯背面側における本体部の短手方向の略中央に配置されており、へこ帯の両端側にかけて、上縁側と下縁側との布材を、上下均等に広がるように展開させることができる。そのため、へこ帯をしめる際に、芯材の配置されている筒状部から両端側にかけての布材の収まりに関し、布材の短手方向（上下方向）の中央付近から上下の縁側にかけてのバランスが良好となって、見栄えよくへこ帯をしめることができる。
【００１１】
また、本体部の布材は、オーガンジー等の光沢を有した半透明の素材から形成してもよい。このように、へこ帯の本体部を、オーガンジー等の光沢を有した半透明の素材から形成すれば、ちりめん系が多かった従来のへこ帯に比べて、光沢があり、かつ、半透明であることから、女性用の浴衣を含めた着物に使用する場合、装飾効果を高めることができる。
【考案を実施するための最良の形態】
【００１２】
以下、本考案の一実施形態を図面に基づいて説明すると、実施形態のへこ帯１は、図１〜４に示すように、本体部８と芯材１１とを備えて構成されている。
【００１３】
本体部８は、可撓性を有した布材３によって帯状に形成されて、長手方向の略中央部位８ａに、長手方向に筒状となる筒状部９を配設させて構成されている。布材３は、ナイロン製のオーガンジーから形成されている。そして、筒状部９は、長尺状の布材３を短手方向で二つ折りにするとともに、接近した布材３における短手方向の両縁３ａ，３ｂ相互を、布材３と同色の縫合糸４（Ｂ）で縫合し、さらに、両縁３ａ，３ｂ相互を縫合した状態で平らにし、その短手方向の両縁３ｃ，３ｄ相互を縫合糸４（Ｃ）で縫合して、二枚重ねの状態で、筒状部９を形成している。筒状部９の両端は、開口状態となっている。なお、縫合糸４（Ｃ）や後述する縫合糸４（Ａ），４（Ｄ），６は、縫合糸４（Ｂ）と同様に、布材３と同色のものが使用されている。
【００１４】
また、筒状部９を形成した縁３ｃ，３ｄの縫合部位９ａは、へこ帯１の背面１ｃ側における短手方向の略中央部位に配置させている。そして、縫合部位９ａから布材３の長手方向の縁（端末）３ｅ，３ｆ側にかけて、布材３は、平らに広がるように、展開されている。
【００１５】
なお、両縁３ａ，３ｂは、それぞれ、図３に示すように、ほつれを防止するために、縫合糸４（Ａ）を使用して、二つ折り若しくは三つ折り等の折り縫いを施されている。また、布材３の長手方向の縁（端末）３ｅ，３ｆも、それぞれ、図４に示すように、ほつれを防止するために、ナイロン等からなるモノフィラメントを芯５として、縫合糸６を使用した巻き縫いを施されている。
【００１６】
そして、芯材１１は、筒状部９における布材３を二重に筒状にした内側に、縫合糸４（Ｄ）を利用し、縫着されて、本体部８内に取り付けられている。この芯材１１は、可撓性を有し、かつ、本体部８の布材３より形状保持性を有したシート状の素材から形成されて、筒状部９内の略全長でかつ略全幅に配設されるような長方形板状として、構成されている。実施形態の場合には、厚さ０．１〜１ｍｍ程度の不織布から形成されている。
【００１７】
なお、この芯材１１の本体部８への取り付けは、筒状部９を裏返した状態で、布材３の縁３ａ，３ｂの部位に、芯材１１を縫着して、行っている。
【００１８】
ちなみに、へこ帯１の製造は、布材３の縁３ａ，３ｂや端末３ｅ，３ｆを既述したように端末処理した後、縁３ａ，３ｂ相互を縫合し、さらに、縁３ｃ，３ｄ相互を縫合して、裏返した状態の筒状部９を形成し、ついで、芯材１１を縫着した後、筒状部９の一方の開口を利用して、裏返せば、へこ帯１を製造することができる。
【００１９】
また、実施形態のへこ帯１の場合、筒状部９は、その長手方向の長さ寸法を約１２０ｃｍ、短手方向の幅寸法を約１８〜２０ｃｍとしている。本体部８（布材３）の全長は、約３８０ｃｍとしている。布材３の幅寸法は、約９０ｃｍである。また、芯材１１は、長手方向の長さ寸法を約１００ｃｍ、幅寸法を約１５ｃｍとしている。さらに、実施形態の場合、布材３はえんじ色のものが使用され、芯材１１は白色のものが使用されている。
【００２０】
このへこ帯１の使用時には、着付け時、図５に示すように、芯材１１の配設された本体部８の略中央部位８ａを、短手方向に広げた状態として、へこ帯１をしめれば、帯板を使用しなくとも、幅広の状態で、型崩れすることなく、へこ帯１をしめることができて、手間をかけることなく、着付け後の見栄えを良好にすることができる。
【００２１】
勿論、芯材１１は、本体部８の長手方向における略中央部位８ａに配設されているため、へこ帯１を身体に巻き付けたり、へこ帯１の両端１ａ，１ｂ側相互を結ぶ際には、芯材１１が邪魔とならず、従来のちりめん系等のへこ帯と同様に使用することができる。
【００２２】
また、芯材１１は、本体部８の布材３に包まれて、本体部８に取り付けられているため、表面側に露出したり、位置ずれすることがない。
【００２３】
さらに、実施形態では、本体部８の長手方向の略中央部位８ａに設けた筒状部９内に芯材１１を取り付けて、芯材１１が筒状部９内に包まれることから、表面側に芯材１１を露出させることを完全に防ぐことができる。さらにまた、筒状部９を形成した縫合部位９ａが、へこ帯１の背面１ｃ側における本体部８の短手方向の略中央に配置されており、へこ帯１の両端１ａ，１ｂ側にかけて、上縁３ａ側と下縁３ｂ側との布材３を、上下均等に広がるように展開させることができる。そのため、へこ帯１をしめる際に、芯材１１の配置されている筒状部９から両端１ａ，１ｂ側にかけての布材３の収まりに関し、布材３の短手方向（上下方向）の中央付近から上下の縁３ａ，３ｂ側にかけてのバランスが良好となって、見栄えよくへこ帯１をしめることができる。
【００２４】
さらに、実施形態のへこ帯１では、本体部８の布材３が、光沢を有するとともに、透ける半透明の素材であるオーガンジーから形成されており、着付け後、豪華な装飾効果を発揮することもできる。
【００２５】
なお、実施形態のへこ帯１では、本体部８の布材３として、えんじ色のオーガンジーを使用したものを示したが、他の色、例えば、黄色・青色・ピンク色等のオーガンジーを使用しても良い。さらに、オーガンジーとしては、ナイロンの他、レーヨン・ベンベルグ（旭化成工業(株)商標名）等の化学繊維や絹・綿等の天然繊維から形成したものを使用しても良い。
【００２６】
また、本体部８の布材３としては、光沢があって、半透明であれば、オーガンジーでなくとも、ジョーゼットクレープ・シーヤー等を使用しても良い。ただし、オーガンジーが、ウェディングドレス等の華やかな洋装の生地に使用されており、若い女性の好みに合っているため、光沢を有した半透明の布材３としては、オーガンジーを使用することが好ましい。
【００２７】
さらに、実施形態のへこ帯１では、布材３を二重の筒状に形成した筒状部９内に、芯材１１を収納させて取り付けているため、布材３自体が半透明であっても、布材３の色と相違する白色の芯材１１を極力隠すことができ、芯材１１の違和感をなくすことができる。
【００２８】
勿論、へこ帯の本体部の布材としては、半透明の素材から構成しなくともよく、絹・綿等の天然繊維や化学繊維からなる透けない素材を使用してもよい。例えば、図６，７に示す第２実施形態のへこ帯２１は、正絹からなる布材２３を使用した本体部２８と、芯材３１と、を備えて構成されている。
【００２９】
本体部２８は、可撓性を有した正絹からなる布材２３によって帯状に形成されて、長手方向の略中央部位２８ａに、長手方向に筒状となる筒状部２９を配設させて構成されている。そして、筒状部２９は、長尺状の布材２３の短手方向の両縁２３ａ，２３ｂ相互を、布材２３と同色の縫合糸２４で縫合して形成されている。
【００３０】
筒状部２９を形成した縁２３ａ，２３ｂの縫合部位２９ａは、へこ帯２１の背面２１ｃ側における短手方向の略中央部位に配置させている。そして、縫合部位２９ａから布材２３の長手方向の縁（端末）２３ｃ，２３ｄ側にかけて、布材２３は、平らに広がるように、展開されている。
【００３１】
なお、上縁２３ａ側と下縁２３ｂ側とは、図７に示すように、ほつれを防止するために、折り返されている。また、布材２３の長手方向の縁（端末）２３ｃ，２３ｄも、それぞれ、ほつれを防止するために、折り返されて縫合されている。
【００３２】
そして、芯材３１は、筒状部２９における布材２３を筒状にした内側に、縫合部位２９ａを形成する縫合糸２４を利用し、縫着されて、本体部２８内に取り付けられている。この芯材３１は、第１実施形態の芯材１１と同様のものが使用されて、可撓性を有し、かつ、本体部２８の布材２３より形状保持性を有したシート状の素材から形成されて、筒状部２９内の略全長でかつ略全幅に配設されるような長方形板状として、構成されている。
【００３３】
このへこ帯２１では、筒状部２９は、その長手方向の長さ寸法を約１８０ｃｍ、短手方向の幅寸法を約１５．５ｃｍとしている。本体部２８（布材２３）の全長は、約４２０ｃｍとしている。布材２３の幅寸法は、約３１ｃｍとしている。また、芯材３１は、長手方向の長さ寸法を約１７０ｃｍ、幅寸法を約１５ｃｍとしている。
【００３４】
この第２実施形態のへこ帯２１も、第１実施形態と同様に使用し、布材２３が半透明でない点を除いて、第１実施形態と同様の作用・効果を得ることができる。
【００３５】
なお、第１実施形態のへこ帯１では、芯材１１の配置された筒状部９を身体の回りに略一周分巻き付けるように構成し、第２実施形態のへこ帯２１では、芯材３１の配置された筒状部２９を身体の回りに略二周分巻き付けるように設定したが、芯材１１，３１の長手方向の寸法は、身体の正面側の略半周分から身体の略二周分程度となる約５０〜２００ｃｍの長さ寸法が望ましく、その芯材１１，３１を覆うように筒状部９，２９を形成すればよい。そして、へこ帯１，２１自体の長手方向の寸法は、布材３，２３の寸法も同様であるが、３５０〜４５０ｃｍ程度、筒状部９，２９の短手方向の寸法は、通常の帯の半幅となる１２〜１８ｃｍ程度とすればよい。
【図面の簡単な説明】
【００３６】
【図１】本考案の第１実施形態におけるへこ帯の正面図である。
【図２】同実施形態のへこ帯の背面図である。
【図３】図１のIII−III部位の断面図である。
【図４】図２のIV部位の拡大図である。
【図５】同実施形態のへこ帯の着付け時の状態を示す図である。
【図６】第２実施形態のへこ帯の背面図である。
【図７】図６のVII−VII部位の断面図である。
【符号の説明】
【００３７】
１・２１…へこ帯、
１ｃ・２１ｃ…背面、
３・２３…布材、
３ａ・３ｂ・３ｅ・３ｆ・２３ａ・２３ｂ・２３ｃ・２３ｄ…縁、
５…芯、
６…縫合糸、
８・２８…本体部、
８ａ・２８ａ…中央部位、
９・２９…筒状部、
９ａ・２９ａ…縫合部位、
１１・３１…芯材。
【図１】
0003132436.tif 000003
【図２】
0003132436.tif 000004
【図３】
0003132436.tif 000005
【図４】
0003132436.tif 000006
【図５】
0003132436.tif 000007
【図６】
0003132436.tif 000008
【図７】
0003132436.tif 000009